(57)【要約】      （修正有）【課題】ユーザが簡単にローパスフィルターの清掃をすることができ、清掃作業に掛ける手間と時間を削減する。【解決手段】レンズ交換式デジタルカメラ内のローパスフィルターを清掃するためのローパスフィルター用掃除機１であって、前記ローパスフィルターに接触可能なように掃除ブラシ１４が先端に取り付けられた細長形状の吸気筒６と、吸気筒６の内部に先端側から基端側に向かう気流を発生させるように吸気筒６の基端側に接続された吸気ファン４とを備えていることを特徴とする。【選択図】図１
0003119519.tif 000002
【実用新案登録請求の範囲】
【請求項１】
レンズ交換式デジタルカメラ内のローパスフィルターを清掃するためのローパスフィルター用掃除機であって、
前記ローパスフィルターに接触可能なように掃除ブラシが先端に取り付けられた細長形状の吸気筒と、該吸気筒の内部に先端側から基端側に向かう気流を発生させるように前記吸気筒の基端側に接続された吸気ファンとを備えていることを特徴とするローパスフィルター用掃除機。
【請求項２】
前記吸気筒は静電気を発生し易い材質により形成されている請求項１に記載のローパスフィルター用掃除機。
【請求項３】
前記吸気ファンはケースに収容されており、該ケースは前記吸気ファンの上流側を覆うように前記吸気筒の基端部に接続されたカバー部材を備えており、該カバー部材は静電気を発生し易い材質により形成されている請求項１又は２に記載のローパスフィルター用掃除機。
【請求項４】
前記吸気ファンの外周部には前記ケースの内面に接触可能なように静電気発生ブラシが設けられており、前記吸気ファンの回転に伴い前記静電気発生ブラシと前記ケースの内面との間に発生する摩擦により、前記ケース及び吸気筒に静電気が発生するように構成されている請求項３に記載のローパスフィルター用掃除機。
【考案の詳細な説明】
【技術分野】
【０００１】
本考案は、レンズ交換式デジタルカメラ内のローパスフィルターを清掃するためのローパスフィルター用掃除機に関するものである。
【背景技術】
【０００２】
一般に、デジタル一眼レフカメラのようなレンズ交換式デジタルカメラにおいて、レンズの交換時に微細なゴミや埃がミラーボックス内に溜り、撮影時にミラーを上下運動させることにより、そのゴミや埃が巻き上げられ、ローパスフィルターに付着することは良く知られている現象である。そして、このようにローパスフィルターにゴミや埃が付着した場合のローパスフィルターの清掃作業は、従来、メーカーのサービスセンターに依頼するか、或いは、メーカーにおいて実施される清掃のための講習を受けながらユーザが自分で行っていた（出願人は公知公用の技術に基づき考案したため、本考案に関連する先行技術文献を知らない）。
【考案の開示】
【考案が解決しようとする課題】
【０００３】
しかしながら、上記した従来の清掃方法では、メーカーのサービスセンターに依頼したり、メーカーの講習を受けたりしなければならないため、清掃作業に非常に手間と時間が掛かっていた。
【０００４】
本考案は上記した課題を解決すべくなされたものであり、ユーザが簡単にローパスフィルターの清掃をすることができ、清掃作業に掛ける手間と時間を削減することのできるローパスフィルター用掃除機を提供することを目的とするものである。
【課題を解決するための手段】
【０００５】
上記目的を達成するため、本考案はレンズ交換式デジタルカメラ内のローパスフィルターを清掃するためのローパスフィルター用掃除機であって、前記ローパスフィルターに接触可能なように掃除ブラシが先端に取り付けられた細長形状の吸気筒と、該吸気筒の内部に先端側から基端側に向かう気流を発生させるように前記吸気筒の基端側に接続された吸気ファンとを備えていることを特徴とする。
【０００６】
そして、前記吸気筒は静電気を発生し易い材質により形成されているのがよい。
【０００７】
また、前記吸気ファンはケースに収容されており、該ケースは前記吸気ファンの上流側を覆うように前記吸気筒の基端部に接続されたカバー部材を備えており、該カバー部材は静電気を発生し易い材質により形成されていてもよい。
【０００８】
さらに、前記吸気ファンの外周部には前記ケースの内面に接触可能なように静電気発生ブラシが設けられており、前記吸気ファンの回転に伴い前記静電気発生ブラシと前記ケースの内面との間に発生する摩擦により、前記ケース及び吸気筒に静電気が発生するように構成されていてもよい。
【考案の効果】
【０００９】
本考案によれば、ローパスフィルターやその周辺の微細なゴミや埃をユーザ自身で簡単に取り除くことができ、清掃作業の手間や時間を削減することができる等、種々の優れた効果を得ることができる。
【考案を実施するための最良の形態】
【００１０】
以下、図１〜図５を参照しつつ、本考案の実施の形態について説明する。ここで、図１は本実施の形態に係るローパスフィルター用掃除機を示す断面図、図２はローパスフィルター用掃除機の吸引ファンを示す平面図、図３はローパスフィルター用掃除機の吸引ファンを示す斜視図、図４はローパスフィルター用掃除機の先端部材を示す平面図、図５はローパスフィルター用掃除機の先端部を示す斜視図である。
【００１１】
本実施形態に係るローパスフィルター用掃除機１は、円筒箱状のケース２と、ケース２内部の基端側に収容された複数の電池３（この場合は、充電式乾電池が６本）と、ケース２内部の先端側に収容された吸気ファン４及び吸気ファン用電動モータ５と、吸気ファン４の先端側に接続された吸気筒６と、吸気筒６の先端に取り付けられた先端部材７と、吸気筒６及び先端部材７を収容するようにケース２に設けられるキャップ８とから構成されている。
【００１２】
ケース２は、ポリカーボネートのような静電気を発生し易い材質により形成されており、基端側が閉塞された円筒形状を成すケース本体９と、ケース本体９の先端部に螺合するカバー部材１０とから構成されている。そして、カバー部材１０は、外周に形成された螺刻部１１の半分程度が露出するようにケース本体９に取り付けられ、吸気ファン４の上流側を覆うようになっている。また、ケース本体９の周壁には、電動モータ５に近接して電源スイッチ１２が取り付けられていると共に、吸気ファン４の下流側に排気口１５が設けられている。
【００１３】
図２及び図３に良く示されているように、吸気ファン４は、例えば、ファン口径が５ｃｍ程度で、扁平な円筒形状の外形を有しており、その周壁の所要箇所（図示では３箇所）には、ケース本体９の内面に接触可能なように、静電気発生ブラシ１３が斜め方向に取り付けられている。
【００１４】
吸気筒６は、ポリカーボネートのような静電気を発生し易い材質により、細長円筒状に形成され、本実施の形態では、例えば、その長さが５ｃｍ程度、外径が９ｍｍ程度、内径が８ｍｍ程度に設定され、その基端部はカバー部材１０に挿着されている。
【００１５】
先端部材７は、吸気筒６の先端に嵌着され、図４及び図５に良く示されているように、その先端にはデジタルカメラのローパスフィルター（図示せず）に接触可能なように掃除ブラシ１４が取り付けられている。
【００１６】
キャップ８は、先端側が半球状に閉塞された円筒状に形成されていると共に、基端部がカバー部材１０の螺刻部１１に螺合可能に形成されており、ケース２に対して着脱可能となっている。
【００１７】
次に、本実施の形態に係るローパスフィルター用掃除機１の作用について説明する。
【００１８】
先ず、キャップ８をケース２から取り外し、電源スイッチ１２をオンにした状態で、先端部材７の掃除ブラシ１４を前記ローパスフィルターに接触させ、該ローパスフィルターの表面に付着している微細なゴミや埃を取り除く。そうすると、それらのゴミや埃は、吸気ファン４の回転に伴い吸気筒６の内部に発生した先端側から基端側に向かう気流によって、吸気筒６内に吸い込まれた後、排気口１５から外部に排出される。
【００１９】
また、この時、吸気ファン４の回転に伴い、静電気発生ブラシ１３とケース本体９の内面との間に生じる摩擦により、ケース本体９やカバー部材１０、及び吸気筒６に静電気が発生するため、前記ローパスフィルターに付着したゴミや埃だけでなく、該ローパスフィルターの周囲の微細なゴミや埃も一緒に、吸気筒６やカバー部材１０に付着させて取り除くことができる。
【００２０】
このように本実施の形態に係るローパスフィルター用掃除機１によれば、ローパスフィルターやその周辺の微細なゴミや埃をユーザ自身により簡単に取り除くことができるため、清掃作業の手間や時間を削減することができる。また、このローパスフィルター用掃除機１は、コンパクトで軽量な構造を有しているため、撮影先に常に携行することができ、さらに、片手で操作し易い円筒形状を成しているため、操作性を高めることができる。
【００２１】
なお、上記した実施の形態では、電動モータ５は電池３により駆動するようになっているが、電動モータ５にコンセント付きのケーブルを接続し、商用電源により駆動するようにすることもできる。
【図面の簡単な説明】
【００２２】
【図１】本考案の実施の形態に係るローパスフィルター用掃除機を示す断面図である。
【図２】本考案の実施の形態に係るローパスフィルター用掃除機の吸引ファンを示す平面図である。
【図３】本考案の実施の形態に係るローパスフィルター用掃除機の吸引ファンを示す斜視図である。
【図４】本考案の実施の形態に係るローパスフィルター用掃除機の先端部材を示す平面図である。
【図５】本考案の実施の形態に係るローパスフィルター用掃除機の先端部材を示す斜視図である。
【符号の説明】
【００２３】
１          ローパスフィルター用掃除機
２          ケース
４          吸気ファン
６          吸気筒
１０        カバー部材
１３        静電気発生ブラシ
１４        掃除ブラシ
【図１】
0003119519.tif 000003
【図２】
0003119519.tif 000004
【図３】
0003119519.tif 000005
【図４】
0003119519.tif 000006
【図５】
0003119519.tif 000007